(57)【要約】      （修正有）【課題】小さい排気口が形成された天板を用いる場合でも、安定して天板がコンロ本体に接続固定された加熱調理器を提供する。【解決手段】コンロ本体２は、天板５の排気口５２の左右の周縁の下方にそれぞれ、天板取り付け部８を有しており、天板取り付け部８は、後端部が後方の外周フランジ部３５と接続され、前端部が上方開放部１０上に延在する平板部と、平板部の前端部から下方に延在し、コンロ本体２と接続される支持脚とを有している。平板部の上方開放部１０上に延在した位置であって、且つ天板５の取り付け孔に対向する位置に接続孔が形成されており、天板５の取り付け孔と接続孔とに締結部材を挿入することにより、天板５をコンロ本体２に接続固定する。【選択図】図２
2014134307.tif 000002
【特許請求の範囲】
【請求項１】
加熱庫を内部に備えるコンロ本体と、前記コンロ本体の上方開放部を覆う天板とを有し、前記コンロ本体の上方開放部から外方に張り出させた外周フランジ部をカウンタトップに開設された開口部の開口周縁に吊持させることにより、前記コンロ本体が前記開口部に落とし込み状態で収容される加熱調理器であって、
前記天板は、後方に前記加熱庫内で発生する油煙を外部に排出するための排気口を有するとともに、排気口の左右の周縁に取り付け孔を有しており、
前記コンロ本体は、前記上方開放部が前記天板で覆われたとき、前記排気口の左右の周縁の下方にそれぞれ、天板取り付け部を有しており、
前記各天板取り付け部は、後端部が後方の外周フランジ部と接続され、前端部が前記上方開放部上に延在する平板部と、前記平板部の前端部から下方に延在し、前記コンロ本体と接続される支持脚とを有し、
前記平板部は、前記上方開放部上に延在した位置であって、且つ前記天板の取り付け孔に対向する位置に接続孔を有しており、
前記取り付け孔と前記接続孔とに締結部材を挿入させることにより、前記天板が前記コンロ本体に接続固定されている加熱調理器。
【請求項２】
請求項１に記載の加熱調理器において、
前記平板部は、前記後端部から後方に突出する係止爪を有し、
前記支持脚は、前記コンロ本体と接続される取り付け片を有し、
前記後方の外周フランジ部は、前記係止爪が係合する係止孔を有しており、
前記各天板取り付け部は、前記係止爪を前記係止孔に係合させるとともに、前記取り付け片を前記コンロ本体に接続することにより、前記コンロ本体に着脱可能に固定されている加熱調理器。
【請求項３】
請求項２に記載の加熱調理器において、
前記各天板取り付け部は、前記係止爪が前記係止孔に係合され、前記取り付け片が前記コンロ本体と接続されていない状態で、前記係止孔を基点として前記支持脚を上方に回動させたとき、前記係止爪により回動が規制されるように前記後方の外周フランジ部と接続されている加熱調理器。
【請求項４】
請求項２または３に記載の加熱調理器において、
前記平板部は、左右の側辺の一部を下方に折り曲げた側端折り曲げ部を有しており、
前記側端折り曲げ部は、前記天板に上方から所定以上の負荷が加わると、前記後方の外周フランジ部と当接するように形成されている加熱調理器。
【発明の詳細な説明】
【技術分野】
【０００１】
本発明は、加熱調理器に関する。特に、本発明は、コンロ本体の上方開放部を覆う天板の取り付け構造に関する。
【背景技術】
【０００２】
従来、コンロ本体と、コンロ本体の上方開放部を覆う天板とを有し、システムキッチンのカウンタトップの開口部に落とし込み状態で収容される加熱調理器が知られている。この種の加熱調理器は、コンロ本体の内部にグリルバーナや電気ヒータなどの調理用熱源が配設された加熱庫を備え、天板の後方に加熱庫内で調理中に発生する油煙を外部に排出するための排気口を備えている（例えば、特許文献１）。
【０００３】
上記のような加熱調理器において、コンロ本体に天板を接続固定するにあたっては、コンロ本体をカウンタトップの開口部に落とし込み、コンロ本体の上方開放部の外方に張り出させた外周フランジ部を開口周縁に吊持させた状態とし、その後、コンロ本体の上方開放部を天板で覆い、天板に設けた取り付け孔から螺子などの締結部材を挿入している。上記取り付け孔は、天板上に露出していると、天板上の煮こぼれが取り付け孔を介してコンロ本体内に侵入するため、一般に、排気口カバーで覆われる排気口の周縁に形成されている。
【先行技術文献】
【特許文献】
【０００４】
【特許文献１】特開２０１０−３２１３５号公報
【発明の概要】
【発明が解決しようとする課題】
【０００５】
ところで、加熱庫から油煙を排出するための排気ダクトの下流端を構成するダクト開口は、後方の外周フランジ部の前方に位置している。それゆえ、ダクト開口が臨む天板の排気口も外周フランジ部よりも前方の上方開放部上に位置するから、排気口カバーに覆われる排気口の周縁に設けた取り付け孔と下方に位置するコンロ本体の構成部材との間には大きな空間が形成される。従って、ビスや螺子などの締結部材により天板と下方に位置するコンロ本体の構成部材とを直接接続しようとすると、長軸の締結部材を使用しなければならず、天板がずれやすくなったり、天板から大きな荷重や熱変形による負荷が加わると天板が変形しやすくなる。そのため、排気口を天板の左右方向の外周縁近傍まで開設し、排気口の左右の周縁に取り付け孔を設ける一方、接続孔を設けた取り付け部材を後方と左右の外周フランジ部の角部に懸架させ、取り付け孔と接続孔とに締結部材を挿入させることにより、天板をコンロ本体に接続固定することが行われている。
【０００６】
しかしながら、大きな開口面積を有する排気口を形成した場合、天板上の煮こぼれが排気口からコンロ本体内に侵入しやすくなる。また、最近では、清掃性やデザイン性を向上させるため、できるだけ凹凸の少ないフラットな表面を有する天板を用いることが要望されている。そのため、天板の左右方向の外周縁から離間した位置で、天板の左右方向の幅よりも十分に小さい排気口を形成することが求められている。このような小さな排気口を有する天板を用いる場合、排気口の周縁に取り付け孔を設けても天板の左右方向の外周縁から離間しているため、上記のような後方と左右の外周フランジ部の角部に懸架させる取り付け部材を使用することができず、天板を安定してコンロ本体に接続固定できないという問題がある。
【０００７】
本発明は上記課題を解決するためになされたものであり、本発明の目的は、天板の左右方向の幅よりも十分に小さい排気口が形成された天板を用いる場合でも、安定して天板がコンロ本体に接続固定された加熱調理器を提供することにある。
【課題を解決するための手段】
【０００８】
本発明は、加熱庫を内部に備えるコンロ本体と、前記コンロ本体の上方開放部を覆う天板とを有し、前記コンロ本体の上方開放部から外方に張り出させた外周フランジ部をカウンタトップに開設された開口部の開口周縁に吊持させることにより、前記コンロ本体が前記開口部に落とし込み状態で収容される加熱調理器であって、
前記天板は、後方に前記加熱庫内で発生する油煙を外部に排出するための排気口を有するとともに、排気口の左右の周縁に取り付け孔を有しており、
前記コンロ本体は、前記上方開放部が前記天板で覆われたとき、前記排気口の左右の周縁の下方にそれぞれ、天板取り付け部を有しており、
前記各天板取り付け部は、後端部が後方の外周フランジ部と接続され、前端部が前記上方開放部上に延在する平板部と、前記平板部の前端部から下方に延在し、前記コンロ本体と接続される支持脚とを有し、
前記平板部は、前記上方開放部上に延在した位置であって、且つ前記天板の取り付け孔に対向する位置に接続孔を有しており、
前記取り付け孔と前記接続孔とに締結部材を挿入させることにより、前記天板が前記コンロ本体に接続固定されている加熱調理器である。
【０００９】
上記加熱調理器によれば、コンロ本体の内部であって、取り付け孔が設けられる排気口の左右の周縁の下方に、天板取り付け部が設けられており、該天板取り付け部は、後端部が後方の外周フランジ部と接続され、前端部が上方開放部上に延在する平板部と、平板部の前端部から下方に延在する支持脚とを有するから、取り付け孔と接続孔とを近接して配置させることができる。また、天板と接続される平板部に天板や調理器具などの荷重や熱変形による負荷が加わっても、平板部の前端部から下方に延在する支持脚はコンロ本体に接続されているから、コンロ本体でその負荷を受けることができる。さらに、平板部は、上方開放部上に延在した位置に接続孔を有しており、接続孔よりも下方まで締結部材を差し込むことができるから、確実に天板とコンロ本体とを接続することができる。そして、上記天板取り付け部は、後方に位置する平板部が外周フランジ部と接続され、前方に位置する支持脚がコンロ本体と接続されているから、誤って天板が前後方向で持ち上げられても、コンロ本体からの天板のずれを防止することができる。
【００１０】
なお、本明細書では、使用者が調理する際の加熱調理器の正面と排気口とが対向する方向を前後方向、これに直交する方向を左右方向、加熱調理器の高さ方向を上下方向という。
【００１１】
上記加熱調理器において、好ましくは、
前記平板部は、前記後端部から後方に突出する係止爪を有し、
前記支持脚は、前記コンロ本体と接続される取り付け片を有し、
前記後方の外周フランジ部は、前記係止爪が係合する係止孔を有しており、
前記各天板取り付け部は、前記係止爪を前記係止孔に係合させるとともに、前記取り付け片を前記コンロ本体に接続することにより、前記コンロ本体に着脱可能に固定される。
【００１２】
上記加熱調理器によれば、係止爪を係止孔に係合させ、取り付け片をコンロ本体に接続することにより、天板取り付け部を着脱可能にコンロ本体に固定することができる。これにより、天板の構造に関わらず、コンロ本体を共通化することができる。
【００１３】
上記加熱調理器において、好ましくは、
前記各天板取り付け部は、前記係止爪が前記係止孔に係合され、前記取り付け片が前記コンロ本体と接続されていない状態で、前記係止孔を基点として前記支持脚を上方に回動させたとき、前記係止爪により回動が規制されるように前記後方の外周フランジ部と接続される。
【００１４】
上記加熱調理器によれば、係止爪を係止孔に係合させた状態では、係止孔を基点とする天板取り付け部の回動が規制されるから、誤って取り付け片とコンロ本体との接続が解除されても、コンロ本体からの天板取り付け部の脱着を防止できる。
【００１５】
上記加熱調理器において、好ましくは、
前記平板部は、左右の側辺の一部を下方に折り曲げた側端折り曲げ部を有しており、
前記側端折り曲げ部は、前記天板に上方から所定以上の負荷が加わると、前記後方の外周フランジ部と当接するように形成される。
【００１６】
上記加熱調理器によれば、平板部の側部に、天板に所定以上の負荷が加わっていない場合、後方の外周フランジ部に当接しない側端折り曲げ部が設けられているから、コンロ本体に着脱可能な天板取り付け部を用いても、平板部と外周フランジ部との摺接が抑えられ、外周フランジ部の損傷を防止することができる。一方、天板から所定以上の負荷が加わると、側端折り曲げ部が後方の外周フランジ部に当接するから、後方の外周フランジ部の下方に位置するカウンタトップによって、負荷が受け止められ、天板の変形を確実に防止することができる。
【発明の効果】
【００１７】
以上説明したように、本発明によれば、天板の左右方向の幅よりも十分に小さい排気口を有する天板を用いる場合でも、天板を安定してコンロ本体に接続固定することができる。
【図面の簡単な説明】
【００１８】
【図１】図１は、本発明の実施の形態に係る加熱調理器がシステムキッチンの開口部に収容された状態の一例を示す概略斜視図である。
【図２】図２は、本発明の実施の形態に係る加熱調理器の概略分解斜視図である。
【図３】図３は、本発明の実施の形態に係る加熱調理器の前方部分を示す部分概略断面図である。
【図４】図４は、本発明の実施の形態に係る加熱調理器の天板取り付け部を示す概略斜視図である。
【図５】図５は、本発明の実施の形態に係る加熱調理器のコンロ本体の後方部分を示す部分概略断面図である。
【発明を実施するための形態】
【００１９】
以下、図面を参照しながら本実施の形態に係る加熱調理器を具体的に説明する。
【００２０】
図１は、本実施の形態の加熱調理器を収容したシステムキッチンの一例を示す概略斜視図である。図２は、加熱調理器の概略分解斜視図であり、天板は裏面が現れている。
図に示すように、本実施の形態に係る加熱調理器１は、前方の正面側に操作部２３を備えたコンロ本体２と、コンロ本体２の上方開放部１０を覆う天板５とを具備する。コンロ本体２には前方の左右２箇所と後方の中央部にガスバーナ２１，２１，２１が配設されており、各ガスバーナ２１は、天板５に開設されたバーナ用開口５１を介して天板５の表面から突出するように構成されている。また、コンロ本体２の下方には、後述するグリル庫（加熱庫）４５が配設されている。
【００２１】
コンロ本体２の外郭を構成する本体ケース３０は、所定形状に成形された複数枚の板金が溶接やカシメなどの接合手段で固定されて構成されている。また、コンロ本体２をシステムキッチンのカウンタトップＫに開設された開口部（図示せず）に落とし込んだ際に、開口周縁のカウンタトップＫに吊持され、コンロ本体２を落とし込み状態で保持するための前方、側方、及び後方の外周フランジ部３３，３４，３５が本体ケース３０の上端から外方に略水平に張り出すように形成されており、外周フランジ部３３，３４，３５の外縁全周は、パッキング材９で囲撓されている。
【００２２】
なお、本実施の形態における本体ケース３０の後方は、強度を高めるために、側壁及び底壁から連設する後壁３１と、後壁３１の上部を後方且つ下方から覆うように接続された外壁３２（図５参照）とからなる二重構造を有しており、後方の外周フランジ部３５は、後壁３１の上端から略水平に後方に張出す第１外周フランジ部３５ａと、第１外周フランジ部３５ａの下方であって、外壁３２の上端から第１外周フランジ部３５ａの外縁よりも後方に略水平に張出す第２外周フランジ部３５ｂとが上下方向に重ね合わされて構成されている。また、図２に示すように、この後壁３１の上下方向の略中央部には、後述する天板取り付け部８の取り付け片８８が接続される後壁段差部３７が形成されており、後壁段差部３７には被連結孔３８が形成されている。
【００２３】
グリル庫４５内には、グリルバーナ（図示せず）が配設されており、コンロ本体２の前面略中央には、矩形状のグリル扉２４が配設されている。また、グリル庫４５の後方には、グリル庫４５内で発生する油煙を外部に排出するための排気通路を構成する排気ダクト４０が連設されている。排気ダクト４０は、所定の形状に成形された板金を接合することにより構成されており、グリル庫４５の後部から後方の外周フランジ部３５の左右方向の中央部に隣接する位置まで斜め上方に向かって延在し、その下流端に油煙が排出されるダクト開口４２が開口している。このダクト開口４２は、天板５に開設された排気口５２に臨んでいる。
【００２４】
前方の外周フランジ部３３には、天板５の装着時に係合部として機能する上向きに突出した形状の３つの凸片３３ａ，３３ａ，３３ａが設けられている。凸片３３ａは、前方の外周フランジ部３３の前端辺の３箇所を切り起こして設けられており、図３の部分概略断面図に示すように、それぞれ、前方の外周フランジ部３３から上方に立ち上がるように設けられた立ち上がり片３３１と、この立ち上がり片３３１に連続して前方の外周フランジ部３３の張出方向に沿って略水平に延設された水平片３３２とから構成されている。
【００２５】
水平片３３２は、後述するように、天板５をコンロ本体２に接続固定する際に、その先端が、天板５の前方に形成されている凹部６６内に係合するように、外方に突出するように形成されている。なお、本実施の形態では、前方の外周フランジ部３３の一部を打ち抜き曲折することにより凸片３３ａを形成している。
【００２６】
一方、既述したように、後方の外周フランジ部３５は、第１外周フランジ部３５ａと第２外周フランジ部３５ｂとから構成されており、第２外周フランジ部３５ｂには、第２外周フランジ部３５ｂの外縁よりに、係止孔３６が左右両端に２箇所ずつ開設されている。各係止孔３６にはそれぞれ、後述する天板取り付け部８の係止爪８４ａが係合接続される。なお、係止孔３６の数は、係止爪８４ａの数に対応させて、適宜、変更することができる。
【００２７】
コンロ本体２の後方には、上方開放部１０が天板５で覆われたとき、天板５の排気口５２の周縁の周囲平面部５３の下方に対応する位置にそれぞれ、天板５を接続固定するための天板取り付け部８が着脱可能に配設されている。この天板取り付け部８は、高強度が得られるステンレス製の金属板を所定形状に成形することにより構成されている。なお、左右の各天板取り付け部８ａ，８ｂは、略左右対称構造を有するため、以下では主として前方から見て右側に設けられる右天板取り付け部８ａについて説明する。
【００２８】
図２、及び図４に示すように、この天板取り付け部８ａは、後端部が後方の外周フランジ部３５を構成する第２外周フランジ部３５ｂと接続され、前端部がコンロ本体２の上方開放部１０上まで延在する略矩形状の平板部８１と、平板部８１の前端部から下方に延在し、本体ケース３０の後壁３１と接続される支持脚８２とを備えている。
【００２９】
平板部８１は、後端部に、平板部８１の後辺全体を下方に折り曲げた後端折り曲げ部８４と、後端折り曲げ部８４の下端部における中央部と左方端部（左天板取り付け部８ｂでは、右方端部）に形成された係止爪８４ａ，８４ａとを備えている。これらの係止爪８４ａ，８４ａは、図５に示すように、既述した第２外周フランジ部３５ｂに開設されている係止孔３６，３６と係合接続させるため、後端折り曲げ部８４の下端部から平板部８１の延在する方向に沿って略水平に突出するように形成されている。また、第２外周フランジ部３５ｂの後端辺下面は、外縁を囲撓するパッキング材９により、カウンタトップＫとの間に僅かな隙間を有しており、後述するように、係止爪８４ａは、後方の外周フランジ部３５を開口部Ｋ１の開口周縁に吊持させた状態で、係止孔３６を基点として支持脚８２を上方に回動させたときに、係止爪８４ａの先端部がカウンタトップＫと衝突してそれ以上の回動が規制される長さに形成されている。
【００３０】
平板部８１の後方の両側部には、側辺の一部を下方に折り曲げた側端折り曲げ部８５，８５が形成されている。この側端折り曲げ部８５は、上下方向において、後端折り曲げ部８４よりも僅かに短く形成されており、側端折り曲げ部８５，８５より前方には切り欠き部８５ａ,８５aが形成されている。図５に示すように、上記側端折り曲げ部８５及び切り欠き部８５ａはそれぞれ、天板取り付け部８がコンロ本体２に接続されたとき、第２外周フランジ部３５ｂ及び第１外周フランジ部３５ａと対向するように配設される。また、係止爪８４ａを係止孔３６に係合させると後端折り曲げ部８４が第２外周フランジ部３５ｂで立設するため、天板５から所定以上の負荷が加えられない場合には、側端折り曲げ部８５及び切り欠き部８５ａはそれぞれ、第１及び第２外周フランジ部３５ａ，３５ｂと当接せず、平板部８１の平面部分が第１外周フランジ部３５ａを跨った状態で配設される。そして、天板５から所定以上の負荷が加えられると、平板部８１が下方に押圧され、側端折り曲げ部８５の下端部は第２外周フランジ部３５ｂの上面に当接するが、切り欠き部８５ａの下端部は第１外周フランジ部３５ａの上面に当接しないように構成されている。
【００３１】
さらに、図４に示すように、平板部８１の前方の左方側部（左天板取り付け部８ｂでは、右方側部）には、下方に段差をもって形成された段差部８３が設けられており、段差部８３には、接続孔８３１が開設されている。この段差部８３の接続孔８３１が形成されている領域は、天板取り付け部８がコンロ本体２に接続されたとき、第１外周フランジ部３５ａよりも前方に位置し、上方開放部１０上まで延在するように設けられている。なお、接続孔８３１は、上方開放部１０上に位置していれば、複数設けてもよいし、切り欠き状に開設されていてもよい。
【００３２】
支持脚８２は、平板部８１の前端部から前方斜め下方に延在し、上辺よりも下辺を短くした略台形状に形成されており、その下端部には、既述したコンロ本体２の後壁３１に設けた被連結孔３８と接続して天板取り付け部８を固定するための前方に略水平に延在する取り付け片８８が形成されている。この取り付け片８８には、コンロ本体２に接続するための連結孔８８１が形成されている。なお、連結孔８８１は、複数設けてもよいし、切り欠き状に開設されていてもよい。また、支持脚８２の両側部には、天板取り付け部８の強度を向上させるために、側辺を一定長、後方に折り曲げた補強壁８６，８７が形成されており、大きな負荷が加わる接続孔８３１が設けられている側の補強壁８６がより幅広に形成されている。
【００３３】
本実施の形態において、天板取り付け部８をコンロ本体２に固定するにあたっては、コンロ本体２を開口部Ｋ１に落とし込む前に、斜め上方から平板部８１の係止爪８４ａを第２外周フランジ部３５ｂの係止孔３６に係合させ、下方に支持脚８２を回動させて、支持脚８２の下端部の取り付け片８８に設けた連結孔８８１と後壁３１の後壁段差部３７に設けた被連結孔３８とを一致させ、これらに螺子９１などの締結部材を挿入して締結させる。これにより、天板取り付け部８が接続されたコンロ本体２が作製される。
【００３４】
本実施の形態における天板５は、ホウロウ用鋼板からなるトッププレート生地にホウロウ加工を施した金属板である。なお、天板には、ステンレスなどの金属製やガラス製のものを用いてもよい。
【００３５】
図１、及び図２に示すように、天板５は、前方の左右２箇所と、後方の中央部とに、ガスバーナ２１，２１，２１を上方に突出するように配設するためのバーナ用開口５１，５１，５１を有するとともに、清掃性及びデザイン性を向上させるため、後方中央部に天板５の左右方向の幅よりも十分に小さい排気口５２を有している。また、表面のフラット感を向上させ、見た目も綺麗な印象を与えるために、外枠が設けられておらず、天板５の外周縁をカーリング加工により内方に折り曲げた折り曲げ部６４が形成されている。この折り曲げ部６４は、既述したパッキング材９上に配置され、折り曲げ部６４の高さは、天板５で上方開放部１０を覆ったときに、天板５の裏面が天板取り付け部８の平板部８１の上面に当接するように構成されている。なお、天板５は、裏面に補強板を有するが、図２では煩雑化を避けるため省略されている。
【００３６】
天板５の排気口５２の左右方向の周縁には、排気口５２と略同一平面上に形成された周囲平面部５３が形成されている。また、天板５の表面に落ちた煮こぼれの排気口５２への侵入を防止するために排気口５２の周縁を絞り出し加工により上方に膨出するように成形した堰部５４が形成されており、左右の周囲平面部５３にはそれぞれ、天板５をコンロ本体に取り付ける締結部材９０を挿入するための取り付け孔５５が開設されている。さらに、この天板５は、表面に配置される部材を少なくしてシンプル感を向上させるために、各バーナ用開口５１の周囲を上方に絞り出し加工して一体成形されたバーナカバー部６０を有している。このバーナカバー部６０の外縁には、上方から五徳３が載置される。
【００３７】
図２に示すように、天板５の前方の折り曲げ部６４は、既述した前方の外周フランジ部３３に形成されている凸片３３ａに対応する位置に、水平片３３２が収容される大きさの凹部６６を有している。従って、天板５の凹部６６とコンロ本体２の水平片３３２とを係合させれば、コンロ本体２に対して天板５を位置決め状態で接続することができる。
【００３８】
本実施の形態において、システムキッチンのカウンタトップＫに開設された開口部Ｋ１に加熱調理器１を設置するにあたっては、まず、天板取り付け部８が接続されたコンロ本体２を、システムキッチンのカウンタトップＫに開設された開口部Ｋ１に落とし込み、コンロ本体２の外周フランジ部３３，３４，３５をカウンタトップＫの開口周縁に吊持状態で保持させる。そして、図示しないが、ガスバーナ２１などをガス供給管と接続するとともに、本体ケース３０の構成壁と開口部Ｋ１の内壁とを螺子などの締結部材によって接合することによりコンロ本体２を開口部Ｋ１内に固定する。
【００３９】
なお、このとき、図５に示すように、後方の第２外周フランジ部３５ｂにおいて、係止孔３６に係合した係止爪８４ａの下面は、パッキング材９によりカウンタトップＫと僅かな隙間をもって対向している。既述したように、この係止爪８４ａの前後方向の長さは、コンロ本体２と取り付け片８８との接続を解除して、取り付け片８８がコンロ本体２と接続されていない状態で係止孔３６を基点として支持脚８２を上方に回動させたとき、係止爪８４ａの先端部がカウンタトップＫに衝突して、係止爪８４ａが抜け止め状態となり、それ以上の回動が規制されるように構成されている。これにより、例えば、天板５を交換する際、コンロ本体２が開口部Ｋ１に落とし込まれた状態で、使用者や設置者が誤って取り付け片８８とコンロ本体２との接続を解除しても、コンロ本体２を持ち上げなければ係止爪８４ａと係止孔３６との係合が解除されない。それゆえ、不用意に天板取り付け部８がコンロ本体２から取り外されることを防止できる。
【００４０】
天板５をコンロ本体２に接続固定するにあたっては、天板５の前方が下方に、後方が上方に位置するように天板５を傾斜させた状態とし、その状態で天板５の前方の折り曲げ部６４に形成された凹部６６をコンロ本体２の前方の外周フランジ部３３に形成された凸片３３ａの水平片３３２と係合させた後、天板５の前方を基点として後方に回動させる。これにより、天板５の表面に開設されたバーナ用開口５１からガスバーナ２１が突出し、後方の排気口５２にダクト開口４２が臨む、位置決めされた状態で上方開放部１０が天板５で覆われる。また、天板５の裏面は天板取り付け部８の平板部８１の上面に当接し、排気口５２の周縁に形成された取り付け孔５５と天板取り付け部８の平板部８１に設けた接続孔８３１とは前後及び左右方向で略一致した状態で配設される。
【００４１】
次いで、上方から見て、取り付け孔５５と接続孔８３１とが完全に一致するように天板５を前後及び左右方向に微調整し、取り付け孔５５と接続孔８３１とに螺子９０などの締結部材を挿入させる。これにより、天板５をコンロ本体２に位置決め状態で接続固定することができる。
【００４２】
上記の加熱調理器１では、清掃性やデザイン性を向上させる目的で、左右方向の幅が天板５のそれよりも十分に小さい排気口５２を有する天板５を用いているため、後方の外周フランジ部３５と左右の外周フランジ部３４の角部を懸架する取り付け部材を使用することができない。また、天板５をコンロ本体２に接続固定するために、排気口５２の左右の周縁の下方に位置する本体ケース３０の後壁３１に、例えば、断面Ｌ字状の接続片を装着することも考えられるが、この場合、接続片の後方のみが本体ケース３０の後壁３１に接続されるため、天板５から大きな負荷が加えられると、天板５が傾いたり、天板５が変形しやすくなる。しかしながら、本実施の形態によれば、コンロ本体２内の排気口５２の左右の周縁の下方に、天板取り付け部８が設けられており、該天板取り付け部８は、後端部が後方の外周フランジ部３５に接続され、前端部が上方開放部１０上に延在する平板部８１と、平板部８１の前端部から下方に延在し、コンロ本体２に接続された支持脚８２とを有するから、天板５の後方を平板部８１に載置させても、傾きのない状態で天板５を上方開放部１０上に配置させることができる。また、取り付け孔５５と接続孔８３１とに締結部材９０を挿入することにより、天板５とコンロ本体２とが接続固定されるが、接続孔８３１の下方には上方開放部１０が位置するから、接続孔８３１の下方まで締結部材９０を差し込ませることができ、確実に天板５をコンロ本体２に接続固定することができる。
【００４３】
また、天板取り付け部８は、平板部８１の前端部から下方に延在する支持脚８２を有するから、平板部８１上に天板５や調理器具の荷重による負荷が加わっても、コンロ本体２によりそれらの負荷を受けることができる。さらに、調理時の加熱により、天板５が上下方向で変形しようとする応力を受けても、コンロ本体２に接続された支持脚８２によりそのような変形を抑えることができる。特に、支持脚８２の側部には、一定の幅を有する補強壁８６，８７が形成されているから、天板５の上方から強い衝撃が加えられても、天板取り付け部８の変形を防止することができる。そして、天板取り付け部８は、後方に位置する平板部８１が後方の外周フランジ部３５と接続され、前方に位置する支持脚８２がコンロ本体２と接続されているから、誤って天板５が前後方向で持ち上げられても、コンロ本体２からの天板５のずれを防止することができる。
【００４４】
さらに、平板部８１には、天板５に所定以上の負荷が加わっていない場合、後方の第２外周フランジ部３５ｂに当接しない側端折り曲げ部８５が設けられているから、コンロ本体２に着脱可能な天板取り付け部８を用いても、平板部８１と第２外周フランジ部３５ｂとの摺接が抑えられ、損傷を防止することができる。一方、天板５に所定以上の負荷が加わると、側端折り曲げ部８５が第２外周フランジ部３５ｂに当接するが、第２外周フランジ部３５ｂの下方にはカウンタトップＫが位置するから、カウンタトップＫで負荷が受け止められ、天板５の変形を確実に防止することができる。しかも、側端折り曲げ部８５の前方には、切り欠き部８５ａが設けられており、該切り欠き部８５ａは、所定以上の負荷が加えられても、第１外周フランジ部３５ａに当接しないように形成されているから、第１外周フランジ部３５ａの湾曲などによる変形も抑えることができる。
【００４５】
（その他の実施の形態）
（１）上記実施の形態では、第１外周フランジ部と第２外周フランジ部とからなる後方の外周フランジ部が設けられているが、本体ケースの後壁の上端を外方に張り出させた第１外周フランジ部のみから後方の外周フランジ部を構成してもよい。
【００４６】
（２）上記実施の形態では、天板取り付け部に左右対称構造を有するものを用いているが、平板部や支持脚などの所定の構成を有する天板取り付け部であれば、左右で異なるものを用いてもよい。
【００４７】
（３）上記実施の形態では、調理用熱源としてガスバーナやグリルバーナを有する加熱調理器について説明したが、電気ヒータや電磁誘導式ヒータを用いてもよい。
【００４８】
（４）上記実施の形態では、コンロ本体に着脱可能な天板取り付け部が設けられているが、天板取り付け部は本体ケースと一体に成形されていてもよい。ただし、着脱可能な天板取り付け部を使用すれば、天板の構造に関わらず、コンロ本体の構造を共通化できるから、製造コストを低減することができる。
【符号の説明】
【００４９】
１    加熱調理器
２    コンロ本体
５    天板
８    天板取り付け部
１０  上方開放部
２０  バーナコンロ部
２１  ガスバーナ
３３，３４，３５  外周フランジ部
３６  係止孔
４０  排気ダクト
４５  グリル庫（加熱庫）
５１  バーナ用開口
５２    排気口
６０  バーナカバー部
８１  平板部
８２  支持脚
８３１  接続孔
８４  後端折り曲げ部
８４ａ  係止爪
８５  側端折り曲げ部
８８  取り付け片
９０  螺子（締結部材）
Ｋ  カウンタトップ
【図１】
2014134307.tif 000003
【図２】
2014134307.tif 000004
【図３】
2014134307.tif 000005
【図４】
2014134307.tif 000006
【図５】
2014134307.tif 000007